(57)【要約】【課題】高いセキュリティ効果を発揮するとともに耐久性を向上させ、各種の対象物に低コストで確実に偽造防止表示を行うことができる偽造防止表示用転写シートを提供する。【解決手段】剥離除去用の基材シート２に対して易剥離層３を介して透明フィルムが積層され、上記透明フィルムが見る角度により視覚的効果が変化する角度依存フィルム４であり、上記角度依存フィルム４に対し、見る角度により反射光の色彩が変化する角度依存性インクにより形成された角度依存層７と、所定波長の光線に反応して可視範囲の蛍光を発する蛍光インクにより形成された蛍光印刷層６とが形成され、上記角度依存フィルム４の角度依存層７および蛍光印刷層６が形成された側に転写接着剤層８が形成されている。【選択図】図１
2006297684.tif 000002
【特許請求の範囲】
【請求項１】
剥離除去用の基材シートに対して易剥離層を介して透明フィルムが積層され、上記透明フィルムが見る角度により視覚的効果が変化する角度依存フィルムであり、上記角度依存フィルムに対し、見る角度により反射光の色彩が変化する角度依存性インクにより形成された角度依存層と、所定波長の光線に反応して可視範囲の蛍光を発する蛍光インクにより形成された蛍光印刷層とが形成され、上記角度依存フィルムの角度依存層および蛍光印刷層が形成された側に転写接着剤層が形成されていることを特徴とする偽造防止表示用転写シート。
【請求項２】
剥離除去用の基材シートに対し、易剥離層を介して見る角度により反射光の色彩が変化する角度依存性インクにより形成された角度依存層と、所定波長の光線に反応して可視範囲の蛍光を発する蛍光インクにより形成された蛍光印刷層とが形成され、上記角度依存層および蛍光印刷層が形成された側に転写接着剤層が形成されていることを特徴とする偽造防止表示用転写シート。
【請求項３】
剥離除去用の基材シートに対して易剥離層を介して透明フィルムが積層され、上記透明フィルムが見る角度により視覚的効果が変化する角度依存フィルムであり、上記角度依存フィルムに対し、所定波長の光線に反応して可視範囲の蛍光を発する蛍光インクにより形成された蛍光印刷層が形成され、上記角度依存フィルムの蛍光印刷層が形成された側に転写接着剤層が形成されていることを特徴とする偽造防止表示用転写シート。
【請求項４】
剥離除去用の基材シートに対して易剥離層を介して透明フィルムが積層され、上記透明フィルムが見る角度により視覚的効果が変化する角度依存フィルムであり、上記角度依存フィルムに対し、見る角度により反射光の色彩が変化する角度依存性インクにより形成された角度依存層が形成され、上記角度依存フィルムの角度依存層が形成された側に転写接着剤層が形成されていることを特徴とする偽造防止表示用転写シート。
【請求項５】
剥離除去用の基材シートに対して易剥離層を介して透明フィルムを積層し、上記透明フィルムが見る角度により視覚的効果が変化する角度依存フィルムであり、上記角度依存フィルムに対し、見る角度により反射光の色彩が変化する角度依存性インクにより形成された角度依存層と、所定波長の光線に反応して可視範囲の蛍光を発する蛍光インクにより形成された蛍光印刷層とを形成し、上記角度依存フィルムの角度依存層および蛍光印刷層が形成された側に転写接着剤層を形成し、上記転写接着剤層を偽造防止対象物に接着し、上記易剥離層から基材シートを除去することにより、偽造防止対象物に対し、上記角度依存フィルムと角度依存層と蛍光印刷層とを転写することを特徴とする偽造防止表示方法。
【請求項６】
剥離除去用の基材シートに対して易剥離層を介して透明フィルムを積層し、上記透明フィルムに対し、見る角度により反射光の色彩が変化する角度依存性インクにより形成された角度依存層と、所定波長の光線に反応して可視範囲の蛍光を発する蛍光インクにより形成された蛍光印刷層とを形成し、上記透明フィルムの角度依存層および蛍光印刷層が形成された側に転写接着剤層を形成し、上記転写接着剤層を偽造防止対象物に接着し、上記易剥離層から基材シートを除去することにより、偽造防止対象物に対し、上記角度依存層と蛍光印刷層とを転写することを特徴とする偽造防止表示方法。
【請求項７】
剥離除去用の基材シートに対して易剥離層を介して透明のホログラムフィルムを積層し、上記透明フィルムが見る角度により視覚的効果が変化する角度依存フィルムであり、上記角度依存フィルムに対し、見る角度により反射光の色彩が変化する角度依存性インクにより形成された角度依存層を形成し、上記角度依存フィルムの角度依存層が形成された側に転写接着剤層を形成し、上記転写接着剤層を偽造防止対象物に接着し、上記易剥離層から基材シートを除去することにより、偽造防止対象物に対し、上記角度依存フィルムと角度依存層を転写することを特徴とする偽造防止表示方法。
【請求項８】
剥離除去用の基材シートに対して易剥離層を介して透明フィルムを積層し、上記透明フィルムが見る角度により視覚的効果が変化する角度依存フィルムであり、上記角度依存フィルムに対し、所定波長の光線に反応して可視範囲の蛍光を発する蛍光インクにより形成された蛍光印刷層を形成し、上記角度依存フィルムの蛍光印刷層が形成された側に転写接着剤層を形成し、上記転写接着剤層を偽造防止対象物に接着し、上記易剥離層から基材シートを除去することにより、偽造防止対象物に対し、上記角度依存フィルムと蛍光印刷層を転写することを特徴とする偽造防止表示方法。
【発明の詳細な説明】
【技術分野】
【０００１】
本発明は、例えば健康保険被保険者証、従業者証、社員証、会員証、学生証、キャッシュカード、有価証券、外国人登録証および各種免許証、ブランド品等の各種商品、等に対して偽造防止表示を行うことができる偽造防止表示用転写シートおよびそれを用いた偽造防止方法に関するものである。
【背景技術】
【０００２】
近年、カラーコピー機の発達に伴って、本物と区別し難い精巧なコピーが可能になり、例えば証券、小切手、銀行券等の偽造が発生してきている。これらの偽造された印刷物は熟練した鑑定者や特殊な鑑定装置によれば容易に贋物と鑑定し得るが、有価証券等は種類も多くかつ広範囲に流通し、一般の人が取り扱う機会が多い。そのため、全ての有価証券等の真偽判別を熟練鑑定者や特殊鑑定装置に依存することは、実用的な手段ではなく、一般の人も容易且つ瞬時に判定し得ることが望まれている。
【０００３】
そこで、視認性画像の一部を観察角度を変えることにより現出・消去しうる印刷物が提案されている（例えば、下記の特許文献１参照。）。上記印刷物は、視認性画像のうち一部を光輝性インキだけからなる画像とし、他の部分を色彩の観察角度依存性の小さいブラックインキと光輝性インキとからなる画像としたものである。この特許文献１の印刷物は、光輝性インキの反射効果を利用し、観察角度によって光輝性インキだけからなる部分が現出して見えたり消去したように見えたりすることから、特別な装置を必要とせず、熟練鑑定者でなくとも瞬時かつ容易に真偽判別できるようになっている。
【特許文献１】特開２０００−３７９４１号公報
【発明の開示】
【発明が解決しようとする課題】
【０００４】
しかしながら、上記特許文献１記載の印刷物では、光輝性インキの反射効果により、視認性画像のうち光輝性インキだけからなる一部が見る角度によって現出して見えたり消去したように見えたりするものであり、真偽判別のよりどころとなるのは、上記一部が現出して見えたり消去したように見えたりする点のみである。
【０００５】
したがって、偽造品について、当該一部について、同じ技術でなくても似たような見え方をする印刷を行われてしまうと、当該偽造品を真正品と見間違えてしまうおそれが多分にあり、それほど高いセキュリティ効果を発揮し得ないのが実情である。また、当該一部は、基材上で剥き出し状態であるため、これらの画像が他の物と擦れ合うことで消えてしまったり汚損したりする可能性がある。しかも、上記特許文献１の技術は、基材に対して特殊インクで真偽判別するための画像を印刷することによるものであるため、印刷コストがかかり、多品種小ロット品に対しては大幅なコストアップとなるのが避けられない。そのうえ、当該特殊インクの印刷に適しない対象物にはセキュリティ効果を付与することができない。このような事情から、セキュリティ付与の対象が限定されているのが実情である。
【０００６】
本発明は、このような事情に鑑みなされたもので、高いセキュリティ効果を発揮するとともに耐久性を向上させ、各種の対象物に対して低コストで確実に偽造防止表示を行うことができる偽造防止表示用転写シートおよびそれを用いた偽造防止方法の提供を目的とする。
【課題を解決するための手段】
【０００７】
上記目的を達成するため、本発明の第１の偽造防止表示用転写シートは、剥離除去用の基材シートに対して易剥離層を介して透明フィルムが積層され、上記透明フィルムが見る角度により視覚的効果が変化する角度依存フィルムであり、上記角度依存フィルムに対し、見る角度により反射光の色彩が変化する角度依存性インクにより形成された角度依存層と、所定波長の光線に反応して可視範囲の蛍光を発する蛍光インクにより形成された蛍光印刷層とが形成され、上記角度依存フィルムの角度依存層および蛍光印刷層が形成された側に転写接着剤層が形成されていることを要旨とする。
【０００８】
また、上記目的を達成するため、本発明の第２の偽造防止表示用転写シートは、剥離除去用の基材シートに対し、易剥離層を介して見る角度により反射光の色彩が変化する角度依存性インクにより形成された角度依存層と、所定波長の光線に反応して可視範囲の蛍光を発する蛍光インクにより形成された蛍光印刷層とが形成され、上記角度依存層および蛍光印刷層が形成された側に転写接着剤層が形成されていることを要旨とする。
【０００９】
また、上記目的を達成するため、本発明の第３の偽造防止表示用転写シートは、剥離除去用の基材シートに対して易剥離層を介して透明フィルムが積層され、上記透明フィルムが見る角度により視覚的効果が変化する角度依存フィルムであり、上記角度依存フィルムに対し、所定波長の光線に反応して可視範囲の蛍光を発する蛍光インクにより形成された蛍光印刷層が形成され、上記角度依存フィルムの蛍光印刷層が形成された側に転写接着剤層が形成されていることを要旨とする。
【００１０】
また、上記目的を達成するため、本発明の第４の偽造防止表示用転写シートは、剥離除去用の基材シートに対して易剥離層を介して透明フィルムが積層され、上記透明フィルムが見る角度により視覚的効果が変化する角度依存フィルムであり、上記角度依存フィルムに対し、見る角度により反射光の色彩が変化する角度依存性インクにより形成された角度依存層が形成され、上記角度依存フィルムの角度依存層が形成された側に転写接着剤層が形成されていることを要旨とする。
【００１１】
また、上記目的を達成するため、本発明の第１の偽造防止表示方法は、剥離除去用の基材シートに対して易剥離層を介して透明フィルムを積層し、上記透明フィルムが見る角度により視覚的効果が変化する角度依存フィルムであり、上記角度依存フィルムに対し、見る角度により反射光の色彩が変化する角度依存性インクにより形成された角度依存層と、所定波長の光線に反応して可視範囲の蛍光を発する蛍光インクにより形成された蛍光印刷層とを形成し、上記角度依存フィルムの角度依存層および蛍光印刷層が形成された側に転写接着剤層を形成し、上記転写接着剤層を偽造防止対象物に接着し、上記易剥離層から基材シートを除去することにより、偽造防止対象物に対し、上記角度依存フィルムと角度依存層と蛍光印刷層とを転写することを要旨とする。
【００１２】
また、上記目的を達成するため、本発明の第２の偽造防止表示方法は、剥離除去用の基材シートに対して易剥離層を介して透明フィルムを積層し、上記透明フィルムに対し、見る角度により反射光の色彩が変化する角度依存性インクにより形成された角度依存層と、所定波長の光線に反応して可視範囲の蛍光を発する蛍光インクにより形成された蛍光印刷層とを形成し、上記透明フィルムの角度依存層および蛍光印刷層が形成された側に転写接着剤層を形成し、上記転写接着剤層を偽造防止対象物に接着し、上記易剥離層から基材シートを除去することにより、偽造防止対象物に対し、上記角度依存層と蛍光印刷層とを転写することを要旨とする。
【００１３】
また、上記目的を達成するため、本発明の第３の偽造防止表示方法は、剥離除去用の基材シートに対して易剥離層を介して透明のホログラムフィルムを積層し、上記透明フィルムが見る角度により視覚的効果が変化する角度依存フィルムであり、上記角度依存フィルムに対し、見る角度により反射光の色彩が変化する角度依存性インクにより形成された角度依存層を形成し、上記角度依存フィルムの角度依存層が形成された側に転写接着剤層を形成し、上記転写接着剤層を偽造防止対象物に接着し、上記易剥離層から基材シートを除去することにより、偽造防止対象物に対し、上記角度依存フィルムと角度依存層を転写することを要旨とする。
【００１４】
また、上記目的を達成するため、本発明の第４の偽造防止表示方法は、剥離除去用の基材シートに対して易剥離層を介して透明フィルムを積層し、上記透明フィルムが見る角度により視覚的効果が変化する角度依存フィルムであり、上記角度依存フィルムに対し、所定波長の光線に反応して可視範囲の蛍光を発する蛍光インクにより形成された蛍光印刷層を形成し、上記角度依存フィルムの蛍光印刷層が形成された側に転写接着剤層を形成し、上記転写接着剤層を偽造防止対象物に接着し、上記易剥離層から基材シートを除去することにより、偽造防止対象物に対し、上記角度依存フィルムと蛍光印刷層を転写することを要旨とする。
【発明の効果】
【００１５】
すなわち、本発明の第１の偽造防止表示用転写シートは、剥離除去用の基材シートに対して易剥離層を介して角度依存フィルムが積層され、上記角度依存フィルムに対し、角度依存層と蛍光印刷層とが形成され、さらに転写接着剤層が形成されている。そして、第１の偽造防止表示方法は、上記偽造防止表示用転写シートを用い、偽造防止対象物に対して上記角度依存フィルムと角度依存層と蛍光印刷層とを転写することにより偽造防止表示を行う。
これにより、偽造防止対象物に対し、角度依存層と蛍光印刷層が接着され、さらにその上に角度依存フィルムが接着される。そして、上記角度依存フィルムは見る角度により視覚的効果が変化し、上記角度依存層は見る角度により反射光の色彩が変化し、さらに、蛍光印刷層は所定波長の光線に反応して可視範囲の蛍光を発する。例えば、使用者は、偽造防止対象物の真偽を確認する際には、角度依存フィルムが見る角度によって視覚効果が異なることを確認し、角度依存層が見る角度によって色彩が変化することを確認し、さらに、所定波長の光や電磁波を照射して、蛍光印刷層が蛍光を発することを確認する。これらのいずれかひとつでも確認できなければ、当該偽造防止対象物が偽造品であることが容易に判別できる。このように、角度依存フィルムの存在、角度依存層の存在、蛍光印刷層の存在の３重の真偽判断手段を有することとなり、極めて高いセキュリティ効果を発揮することができる。
しかも、角度依存層と蛍光印刷層が印刷等によって形成された角度依存フィルムの上記角度依存層と蛍光印刷層側が転写接着剤で偽造防止対象物に接着されるため、フィルムを剥がそうとすると角度依存層と蛍光印刷層が崩れて再び元の状態に戻すことができなくなるため、極めて高いセキュリティ効果を付与することができる。
さらに、上記偽造防止表示は、上記角度依存層と蛍光印刷層が透明フィルムである角度依存フィルムで覆われることとなり、角度依存層と蛍光印刷層の汚損や劣化が防止できる。また、上記偽造防止表示は、既存の転写装置による転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【００１６】
また、本発明の第２の偽造防止表示用転写シートは、剥離除去用の基材シートに対し、易剥離層を介して角度依存層と蛍光印刷層とが形成され、さらに転写接着剤層が形成されている。そして、第２の偽造防止表示方法は、上記偽造防止表示用転写シートを用い、偽造防止対象物に対して上記透明フィルムと角度依存層と蛍光印刷層とを転写することにより偽造防止表示を行う。
これにより、偽造防止対象物に対し、角度依存層と蛍光印刷層が接着される。そして、上記角度依存層は見る角度により反射光の色彩が変化し、蛍光印刷層は所定波長の光線に反応して可視範囲の蛍光を発する。例えば、使用者は、偽造防止対象物の真偽を確認する際には、角度依存層が見る角度によって色彩が変化することを確認し、所定波長の光や電磁波を照射して、蛍光印刷層が蛍光を発することを確認する。これらのいずれかひとつでも確認できなければ、当該偽造防止対象物が偽造品であることが容易に判別できる。このように、角度依存層の存在、蛍光印刷層の存在の２重の真偽判断手段を有することとなり、極めて高いセキュリティ効果を発揮することができる。
しかも、角度依存層と蛍光印刷層が転写接着剤で偽造防止対象物に接着されるため、角度依存層や蛍光印刷層を剥がそうとすると角度依存層と蛍光印刷層が崩れて再び元の状態に戻すことができなくなるため、極めて高いセキュリティ効果を付与することができる。
さらに、上記偽造防止表示は、既存の転写装置による転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【００１７】
また、本発明の第３の偽造防止表示用転写シートは、剥離除去用の基材シートに対して易剥離層を介して角度依存フィルムが積層され、上記角度依存フィルムに対し、角度依存層が形成され、さらに転写接着剤層が形成されている。そして、第３の偽造防止表示方法は、上記偽造防止表示用転写シートを用い、偽造防止対象物に対して上記角度依存フィルムと角度依存層とを転写することにより偽造防止表示を行う。
これにより、偽造防止対象物に対し、角度依存層が接着され、さらにその上に角度依存フィルムが接着される。そして、上記角度依存フィルムは見る角度により視覚的効果が変化し、上記角度依存層は見る角度により反射光の色彩が変化する。例えば、使用者は、偽造防止対象物の真偽を確認する際には、角度依存フィルムが見る角度によって視覚効果が異なることを確認し、角度依存層が見る角度によって色彩が変化することを確認する。これらのいずれかひとつでも確認できなければ、当該偽造防止対象物が偽造品であることが容易に判別できる。このように、角度依存フィルムの存在、角度依存層の存在の２重の真偽判断手段を有することとなり、極めて高いセキュリティ効果を発揮することができる。
しかも、角度依存層が印刷等によって形成された角度依存フィルムの上記角度依存層側が転写接着剤で偽造防止対象物に接着されるため、フィルムを剥がそうとすると角度依存層が崩れて再び元の状態に戻すことができなくなるため、極めて高いセキュリティ効果を付与することができる。
さらに、上記偽造防止表示は、上記角度依存層が透明フィルムである角度依存フィルムで覆われることとなり、角度依存層の汚損や劣化が防止できる。また、上記偽造防止表示は、既存の転写装置による転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【００１８】
また、本発明の第４の偽造防止表示用転写シートは、剥離除去用の基材シートに対して易剥離層を介して角度依存フィルムが積層され、上記角度依存フィルムに対し、蛍光印刷層が形成され、さらに転写接着剤層が形成されている。そして、第４の偽造防止表示方法は、上記偽造防止表示用転写シートを用い、偽造防止対象物に対して上記角度依存フィルムと蛍光印刷層とを転写することにより偽造防止表示を行う。
これにより、偽造防止対象物に対し、蛍光印刷層が接着され、さらにその上に角度依存フィルムが接着される。そして、上記角度依存フィルムは見る角度により視覚的効果が変化し、蛍光印刷層は所定波長の光線に反応して可視範囲の蛍光を発する。例えば、使用者は、偽造防止対象物の真偽を確認する際には、角度依存フィルムが見る角度によって視覚効果が異なることを確認し、所定波長の光や電磁波を照射して、蛍光印刷層が蛍光を発することを確認する。これらのいずれかひとつでも確認できなければ、当該偽造防止対象物が偽造品であることが容易に判別できる。このように、角度依存フィルムの存在、蛍光印刷層の存在の２重の真偽判断手段を有することとなり、極めて高いセキュリティ効果を発揮することができる。
しかも、蛍光印刷層が印刷等によって形成された角度依存フィルムの上記蛍光印刷層側が転写接着剤で偽造防止対象物に接着されるため、フィルムを剥がそうとすると蛍光印刷層が崩れて再び元の状態に戻すことができなくなるため、極めて高いセキュリティ効果を付与することができる。
さらに、上記偽造防止表示は、上記蛍光印刷層が透明フィルムである角度依存フィルムで覆われることとなり、蛍光印刷層の汚損や劣化が防止できる。また、上記偽造防止表示は、既存の転写装置による転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【００１９】
本発明において、上記角度依存層は、少なくとも上記蛍光印刷層による印刷領域の全体を覆うように形成され、透過する光を乱反射または干渉させることにより自然光の下で上記蛍光印刷層を隠蔽する場合には、上記角度依存層が自然光の下で上記蛍光印刷層を隠蔽するため、自然光の下で上記蛍光印刷層の存在を隠すことができて、上記蛍光印刷層を使用者に意識させないようにすることができる。また、上記角度依存層は、透過する光を乱反射または干渉させるため、使用者に対して印刷物にセキュリティ処理が施されていることを認識させるとともに、デザイン性にも優れたものとなる。
【００２０】
本発明において、上記角度依存フィルムは、透過する光を乱反射または干渉させることにより自然光の下で上記蛍光印刷層を隠蔽する場合には、上記角度依存フィルムが自然光の下で上記蛍光印刷層を隠蔽するため、自然光の下で上記蛍光印刷層の存在を隠すことができて、上記蛍光印刷層を使用者に意識させないようにすることができる。また、上記角度依存フィルムは、透過する光を乱反射または干渉させるため、使用者に対して印刷物にセキュリティ処理が施されていることを認識させるとともに、デザイン性にも優れたものとなる。
【発明を実施するための最良の形態】
【００２１】
つぎに、本発明を実施するための最良の形態を説明する。
【実施例１】
【００２２】
図１は、本発明の第１実施例の偽造防止表示用転写シート１を示す。上記偽造防止表示用転写シート１は、剥離除去用の基材シート２に対して易剥離層３を介して角度依存フィルム４が積層され、上記角度依存フィルム４に対し、角度依存層７と蛍光印刷層６とが形成され、さらに転写用の接着剤層８が形成されて構成されている。
【００２３】
上記基材シート２は、後述する熱転写の際の加熱・加圧に耐えるある程度の耐熱性を有するＰＥＴ樹脂等の樹脂シートが用いられる。また、熱転写の際の熱を接着剤層８に伝える必要があるため、厚みは３０μｍ以下程度のものが好適に用いられる。
【００２４】
上記角度依存フィルム４は、透明のホログラムフィルムを好適に用いることができる。この角度依存フィルム４は、透明のＰＥＴやＰＶＣアクリル共重合の透明フィルムに対して金属蒸着層を形成することにより、光の反射が虹色に光り見る角度によって視覚的効果が変化するホログラム効果を有するフィルムである（例えば日本コーバン社製、ホログラムパターンフィルム等）。
【００２５】
上記基材シート２および角度依存フィルム４のベースとなる材料としては、上述したものに限定するものではなく、各種のものを用いることができる。例えば、ポリエチレン，ポリプロピレン，ポリスチレン，塩化ビニル樹脂，塩化ビニリデン樹脂等からなる単層のプラスチックフィルムや、複数のプラスチックフィルムのラミネートフィルム等があげられる。これらの中でも、ポリエステル、特にＰＥＴは、透明性，強靭性，電気絶縁性，寸法安定性に優れているため、好適に用いることができる。
【００２６】
上記基材シート２と角度依存フィルム４は、易剥離層３を介して積層されている。上記易剥離層３は、基材シート２を角度依存フィルム４から容易に剥離しうる構成のものであれば特に限定するものではない。例えば、基材シート２に対してコーティングされた剥離性樹脂層として形成することができ、例えばアクリル樹脂、メラミン樹脂、ビニル樹脂、塩化オレフィン樹脂等を単独もしくは混合しても良い。また、易剥離層３としては、基材シート２の表面に、剥離性をより高めるためにシリコンコーティングやＰＴＦＥコーティングを施す構成であってもよい。更に、基材シート２との剥離を容易にするものとして、例えば、植物ロウであるカルナバロウ，木ロウ，オウリキュリーロウ，エスバルロウ、動物ロウである蜜ロウ，昆虫ロウ，セラックロウ，鯨ロウ、石油ロウであるパラフィンワックス，マイクロクリスタルワックス，ポリエチレンワックス，エステルワックス，酸ワックス、鉱物ロウであるモンタンロウ，オゾケライト，セレシン等のワックス類を挙げることができる。
【００２７】
上記蛍光印刷層６は、上記角度依存フィルム４に対し、所定波長の光線に反応して可視範囲の蛍光を発する蛍光インクにより所定の情報が印刷されたものである。
【００２８】
上記蛍光インクとしては、ブラックライト（不可視光線）に代表されるような所定波長の紫外線や電磁波等の光線が照射されることにより蛍光を発する蛍光染料、蛍光顔料等を採用することができる。本実施例では、紫外線が照射されることにより蛍光を発する蛍光顔料（ブラックライト顔料）を採用している。これにより、上記蛍光印刷層６によって印刷された所定の情報は、自然光の元では視覚的に認識できず、ブラックライト等の所定波長の光線を照射することにより視覚的に認識できるようになる。ここで、上記所定の情報とは、例えば、真正品であることを示す「Ｔｒｕｅ」の文字等である（図４参照）。
【００２９】
上記角度依存層７は、蛍光印刷層６が印刷された角度依存フィルム４に対し、見る角度により反射光の色彩が変化する角度依存性インクにより形成されたものである。
【００３０】
上記角度依存性インクとしては、メタリック顔料やパール顔料等を採用することができるが、本実施例では、パール顔料を用いている。パール顔料としては、雲母に反射性（高虹彩反射）を与える金属酸化物として、可視域に透明で屈折性が２．０以上ある金属酸化物を被覆したもので、例えば、Ｓｂ２Ｓ3、Ｆｅ２Ｏ３、ＰｂＯ、ＺｎＳｅ、ＣｄＳ、Ｂｉ２Ｏ３、ＴｉＯ２、ＰｂＣｌ２、ＣｅＯ２、Ｔａ２Ｏ５、ＺｎＳ、ＺｎＯ、ＣｄＯ、Ｎｄ２Ｏ３、Ｓｂ２Ｏ３、ＳｉＯおよびＩｎＯ３の単層の被覆もしくは２層に被覆することにより形成される。
【００３１】
雲母と金属酸化膜が組み合わされた時、その屈折率の差が０．４より大きいことから、入射した白色光の反射量が多く、また、同時に雲母と金属酸化膜の界面で副屈折を起こすことから、高虹彩反射性となり、変色効果をより効果的に助長する働きをする。この時、雲母を被覆する金属酸化膜の膜厚を制御することで任意の色調の高虹反射性を持ったパール顔料とすることができる膜厚は１０〜１００００オングストローム、望ましくは２００〜２０００オングストロームの範囲の膜厚が可視域に対して高虹彩反射性となるので望ましい。
【００３２】
このようなパール顔料の市販のものとしては「Ｉｒｉｏｄｉｎ」（商品名、ＭＥＲＣＫ社製）等がある。「Ｉｒｉｏｄｉｎ」は、天然マイカの表面を酸化チタンおよび酸化鉄等の高屈折率の金属酸化物で被覆した安定した無機パール顔料であり、屈折率の高い酸化チタンの層と屈折率の低いマイカおよび周りの媒体との境界で反射した光が真珠光沢をもたらすものである。この「Ｉｒｉｏｄｉｎ」には、被覆された酸化チタンの膜厚を変えることによって虹彩色の特定な色を強調させることができ、このようなパール顔料は有色色料との混合物にビヒクル、添加剤を加えインキ化して用いる。
【００３３】
上記パール顔料は、その他にゴールドタイプやシルバータイプであってもよい。
【００３４】
このように、上記角度依存層７が角度依存性インクにより形成されていると、偽造防止表示１１表面の色が見る角度によって変わるので、セキュリティ確認に有効である。また、上記角度依存層７に対する反射光の色が見る角度により変化するため、使用者にとってキラキラと輝いて見えるため、全体としてデザイン性を向上させることもできる。
【００３５】
上記角度依存層７は、少なくとも上記蛍光印刷層６による印刷領域の全体を覆うように形成され、透過する光を乱反射または干渉させることにより自然光の下で上記蛍光印刷層６を隠蔽するようになっている。このようにすることにより、上記角度依存層７が自然光の下で上記蛍光印刷層６を隠蔽するため、自然光の下で上記蛍光印刷層６の存在を隠すことができて、上記蛍光印刷層６を使用者に意識させないようにすることができる。また、上記角度依存層７は、透過する光を乱反射または干渉させるため、使用者に対して印刷物にセキュリティ処理が施されていることを認識させるとともに、デザイン性にも優れたものとなる。
【００３６】
なお、角度依存層７に加えて、または角度依存層７に換えて、透過する光を乱反射または干渉させることにより自然光の下で上記蛍光印刷層６を隠蔽する隠蔽層を形成することもできる。この隠蔽層は、微小な凹凸を形成された層であってもよい。例えば、マット（つや消し）仕上げ、シボ状の凹凸を形成するシボ仕上げ等の加工により実現される。また、上記隠蔽層は、上記マット仕上げ等の加工により表面が凹凸に形成され透明性のあるＰＥＴ，ポリエチレン，ポリプロピレン，ポリスチレン，塩化ビニル樹脂，塩化ビニリデン樹脂等からなる単層のプラスチックフィルムや、複数のプラスチックフィルムのラミネートフィルム等の透明フィルムであってもよい。
【００３７】
また、上記角度依存フィルム４は、透過する光を乱反射または干渉させることにより自然光の下で上記蛍光印刷層６を隠蔽するようになっている。これにより、上記角度依存フィルム４が自然光の下で上記蛍光印刷層６を隠蔽するため、自然光の下で上記蛍光印刷層６の存在を隠すことができて、上記蛍光印刷層６を使用者に意識させないようにすることができる。また、上記角度依存フィルム４は、透過する光を乱反射または干渉させるため、使用者に対して印刷物にセキュリティ処理が施されていることを認識させるとともに、デザイン性にも優れたものとなる。
【００３８】
上記角度依存フィルム４の角度依存層７および蛍光印刷層６が形成された側に熱溶融型の接着剤層８が形成されている。
【００３９】
上記接着剤層８を形成する転写接着剤としては、例えば、熱溶融型の転写接着剤（ホットメルト接着剤）を用いることができる。ホットメルト接着剤を用いることにより、熱転写による偽造防止表示が可能になる。また、転写接着剤としては水転写用の接着剤や加圧転写用の接着剤を用いることも可能である。
【００４０】
図２は、上記偽造防止表示用転写シート１を用いた偽造防止表示方法を示す。
【００４１】
まず、図２（ａ）に示すように、上記偽造防止表示用転写シート１の接着剤層８を偽造防止対象物１０に密着させ、この状態でホットスタンプ９を偽造防止表示用転写シート１の基材シート２上に密着させて加圧し、偽造防止表示用転写シート１を加熱し加圧する。これにより、ホットスタンプ９で加熱された領域の接着剤層８が溶融して偽造防止対象物１０に接着し、接着層８ａが形成される。
【００４２】
ついで、図２（ｂ）に示すように、ホットスタンプ９を除去し、接着層８ａの接着剤が硬化してから偽造防止表示用転写シート１を除去すると、ホットスタンプ９で加熱接着された領域は、上記易剥離層３から基材シート２が除去され、偽造防止対象物１０に対し、上記角度依存フィルム４と角度依存層７と蛍光印刷層６とが熱転写される。
【００４３】
図３は、偽造防止対象物１０に対して角度依存フィルム４と角度依存層７と蛍光印刷層６とが熱転写されて偽造防止表示１１が施された一例を示す。このように、偽造防止対象物１０の任意の一部分に、熱転写により容易に偽造防止表示１１を施すことができる。
【００４４】
図４は、上記のようにして形成した偽造防止表示１１の作用を説明する図である。図４（ａ）に示すように、通常の自然光の下では、上記角度依存層７が蛍光印刷層６を隠蔽するため蛍光印刷層６は視覚的に認識できないが、図４（ｂ）に示すように、ブラックライト１３により所定波長の紫外線等を照射することにより、蛍光印刷層６が蛍光を発して蛍光文字１２が浮かび上がるのである。これにより、容易に真偽を判定することができる。
【００４５】
このように、上記第１の偽造防止表示用転写シート１は、基材シート２に対して易剥離層３を介して角度依存フィルム４が積層され、上記角度依存フィルム４に対し、角度依存層７と蛍光印刷層６とが形成され、さらに熱溶融型の接着剤層８が形成されている。そして、第１の偽造防止方法は、上記偽造防止表示用転写シート１を用い、偽造防止対象物１０に対して上記角度依存フィルム４と角度依存層７と蛍光印刷層６とを熱転写することにより偽造防止表示１１を行う。
【００４６】
これにより、偽造防止対象物１０に対し、角度依存層７と蛍光印刷層６が接着され、さらにその上に角度依存フィルム４が接着される。そして、上記角度依存フィルム４は見る角度により視覚的効果が変化し、上記角度依存層７は見る角度により反射光の色彩が変化し、さらに、蛍光印刷層６は所定波長の光線に反応して可視範囲の蛍光を発する。例えば、使用者は、偽造防止対象物１０の真偽を確認する際には、角度依存フィルム４が見る角度によって視覚効果が異なることを確認し、角度依存層７が見る角度によって色彩が変化することを確認し、さらに、所定波長の光や電磁波を照射して、蛍光印刷層６が蛍光を発することを確認する。これらのいずれかひとつでも確認できなければ、当該偽造防止対象物１０が偽造品であることが容易に判別できる。このように、角度依存フィルム４の存在、角度依存層７の存在、蛍光印刷層６の存在の３重の真偽判断手段を有することとなり、極めて高いセキュリティ効果を発揮することができる。
【００４７】
しかも、角度依存層７と蛍光印刷層６が印刷等によって形成された角度依存フィルム４の上記角度依存層７と蛍光印刷層６側が熱溶融型の接着剤層８で偽造防止対象物１０に接着されるため、角度依存フィルム４を剥がそうとすると角度依存層７と蛍光印刷層６が崩れて再び元の状態に戻すことができなくなるため、極めて高いセキュリティ効果を付与することができる。
【００４８】
さらに、上記偽造防止表示１１は、上記角度依存層７と蛍光印刷層６が透明フィルムである角度依存フィルム４で覆われることとなり、角度依存層７と蛍光印刷層６の汚損や劣化が防止できる。また、上記偽造防止表示１１は、既存の熱転写装置による熱転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【実施例２】
【００４９】
図５は、本発明の第２実施例の偽造防止表示用転写シート１の第１例を示す。上記偽造防止表示用転写シート１は、基材シート２に対して易剥離層３を介して角度依存層７と蛍光印刷層６とが形成され、さらに転写用の接着剤層８が形成されて構成されている。
【００５０】
上記基材シート２、易剥離層３、角度依存層７、蛍光印刷層６、接着剤層８は、上記第１実施例と同様のものが用いられる。
【００５１】
図６は、上記偽造防止表示用転写シート１を用いた偽造防止表示方法を示す。
【００５２】
まず、図６（ａ）に示すように、上記偽造防止表示用転写シート１の接着剤層８を偽造防止対象物１０に密着させ、この状態でホットスタンプ９を偽造防止表示用転写シート１の基材シート２上に密着させて加圧し、偽造防止表示用転写シート１を加熱し加圧する。これにより、ホットスタンプ９で加熱された領域の接着剤層８が溶融して偽造防止対象物１０に接着し、接着層８ａが形成される。
【００５３】
ついで、図６（ｂ）に示すように、ホットスタンプ９を除去し、接着層８ａの接着剤が硬化してから偽造防止表示用転写シート１を除去すると、ホットスタンプ９で加熱接着された領域は、上記易剥離層３から基材シート２が除去され、偽造防止対象物１０に対し、上記角度依存層７と蛍光印刷層６とが熱転写される。
【００５４】
上記第２の偽造防止表示用転写シート１は、基材シート２に対して易剥離層３を介して角度依存層７と蛍光印刷層６とが形成され、さらに熱溶融型の接着剤層８が形成されている。そして、第２の偽造防止方法は、上記偽造防止表示用転写シート１を用い、偽造防止対象物１０に対して上記角度依存層７と蛍光印刷層６とを熱転写することにより偽造防止表示１１を行う。
【００５５】
これにより、偽造防止対象物１０に対し、角度依存層７と蛍光印刷層６が接着される。そして、上記角度依存層７は見る角度により反射光の色彩が変化し、蛍光印刷層６は所定波長の光線に反応して可視範囲の蛍光を発する。例えば、使用者は、偽造防止対象物１０の真偽を確認する際には、角度依存層７が見る角度によって色彩が変化することを確認し、所定波長の光や電磁波を照射して、蛍光印刷層６が蛍光を発することを確認する。これらのいずれかひとつでも確認できなければ、当該偽造防止対象物１０が偽造品であることが容易に判別できる。このように、角度依存層７の存在、蛍光印刷層６の存在の２重の真偽判断手段を有することとなり、極めて高いセキュリティ効果を発揮することができる。
【００５６】
しかも、角度依存層７と蛍光印刷層６が熱溶融型の接着剤層８で偽造防止対象物１０に接着されるため、角度依存層７や蛍光印刷層６を剥がそうとすると角度依存層７と蛍光印刷層６が崩れて再び元の状態に戻すことができなくなるため、極めて高いセキュリティ効果を付与することができる。
【００５７】
さらに、上記偽造防止表示１１は、既存の熱転写装置による熱転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【００５８】
図７は、本発明の第２実施例の偽造防止表示用転写シート１の第２例を示す。上記偽造防止表示用転写シート１は、基材シート２に対して易剥離層３を介して透明フィルム５が積層され、上記透明フィルム５に対し、角度依存層７と蛍光印刷層６とが形成され、さらに熱溶融型の接着剤層８が形成されて構成されている。
【００５９】
上記基材シート２、易剥離層３、角度依存層７、蛍光印刷層６、接着剤層８は、上記第１実施例と同様のものが用いられる。
【００６０】
上記透明フィルム５は、透明のＰＥＴやＰＶＣアクリル共重合の透明フィルムが用いられるが、これに限定するものではなく、各種のものを用いることができる。例えば、ポリエチレン，ポリプロピレン，ポリスチレン，塩化ビニル樹脂，塩化ビニリデン樹脂等からなる単層のプラスチックフィルムや、複数のプラスチックフィルムのラミネートフィルム等があげられる。これらの中でも、ポリエステル、特にＰＥＴは、透明性，強靭性，電気絶縁性，寸法安定性に優れているため、好適に用いることができる。
【００６１】
図８は、上記偽造防止表示用転写シート１を用いた偽造防止表示方法を示す。
【００６２】
まず、図８（ａ）に示すように、上記偽造防止表示用転写シート１の接着剤層８を偽造防止対象物１０に密着させ、この状態でホットスタンプ９を偽造防止表示用転写シート１の基材シート２上に密着させて加圧し、偽造防止表示用転写シート１を加熱し加圧する。これにより、ホットスタンプ９で加熱された領域の接着剤層８が溶融して偽造防止対象物１０に接着し、接着層８ａが形成される。
【００６３】
ついで、図８（ｂ）に示すように、ホットスタンプ９を除去し、接着層８ａの接着剤が硬化してから偽造防止表示用転写シート１を除去すると、ホットスタンプ９で加熱接着された領域は、上記易剥離層３から基材シート２が除去され、偽造防止対象物１０に対し、上記透明フィルム５と角度依存層７と蛍光印刷層６とが熱転写される。
【００６４】
上記第２の偽造防止表示用転写シート１は、基材シート２に対して易剥離層３を介して透明フィルム５が積層され、上記透明フィルム５に対し、角度依存層７と蛍光印刷層６とが形成され、さらに熱溶融型の接着剤層８が形成されている。そして、第２の偽造防止方法は、上記偽造防止表示用転写シート１を用い、偽造防止対象物１０に対して上記透明フィルム５と角度依存層７と蛍光印刷層６とを熱転写することにより偽造防止表示１１を行う。
【００６５】
これにより、偽造防止対象物１０に対し、角度依存層７と蛍光印刷層６が接着され、さらにその上に透明フィルム５が接着される。そして、上記角度依存層７は見る角度により反射光の色彩が変化し、蛍光印刷層６は所定波長の光線に反応して可視範囲の蛍光を発する。例えば、使用者は、偽造防止対象物１０の真偽を確認する際には、角度依存層７が見る角度によって色彩が変化することを確認し、所定波長の光や電磁波を照射して、蛍光印刷層６が蛍光を発することを確認する。これらのいずれかひとつでも確認できなければ、当該偽造防止対象物１０が偽造品であることが容易に判別できる。このように、角度依存層７の存在、蛍光印刷層６の存在の２重の真偽判断手段を有することとなり、極めて高いセキュリティ効果を発揮することができる。
【００６６】
しかも、角度依存層７と蛍光印刷層６が印刷等によって形成された透明フィルム５の上記角度依存層７と蛍光印刷層６側が熱溶融型の接着剤層８で偽造防止対象物１０に接着されるため、フィルム５を剥がそうとすると角度依存層７と蛍光印刷層６が崩れて再び元の状態に戻すことができなくなるため、極めて高いセキュリティ効果を付与することができる。
【００６７】
さらに、上記偽造防止表示１１は、上記角度依存層７と蛍光印刷層６が透明フィルム５で覆われることとなり、角度依存層７と蛍光印刷層６の汚損や劣化が防止できる。また、上記偽造防止表示１１は、既存の熱転写装置による熱転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【実施例３】
【００６８】
図９は、本発明の第３実施例の偽造防止表示用転写シート１を示す。上記偽造防止表示用転写シート１は、基材シート２に対して易剥離層３を介して角度依存フィルム４が積層され、上記角度依存フィルム４に対して角度依存層７が形成され、さらに熱溶融型の接着剤層８が形成されて構成されている。
【００６９】
上記基材シート２、角度依存フィルム４、易剥離層３、角度依存層７、接着剤層８は、上記第１実施例と同様のものが用いられる。
【００７０】
図１０は、上記偽造防止表示用転写シート１を用いた偽造防止表示方法を示す。
【００７１】
まず、図１０（ａ）に示すように、上記偽造防止表示用転写シート１の接着剤層８を偽造防止対象物１０に密着させ、この状態でホットスタンプ９を偽造防止表示用転写シート１の基材シート２上に密着させて加圧し、偽造防止表示用転写シート１を加熱し加圧する。これにより、ホットスタンプ９で加熱された領域の接着剤層８が溶融して偽造防止対象物１０に接着し、接着層８ａが形成される。
【００７２】
ついで、図１０（ｂ）に示すように、ホットスタンプ９を除去し、接着層８ａの接着剤が硬化してから偽造防止表示用転写シート１を除去すると、ホットスタンプ９で加熱接着された領域は、上記易剥離層３から基材シート２が除去され、偽造防止対象物１０に対し、上記角度依存フィルム４と角度依存層７とが熱転写される。
【００７３】
上記第３の偽造防止表示用転写シート１は、基材シート２に対して易剥離層３を介して角度依存フィルム４が積層され、上記角度依存フィルム４に対し、角度依存層７が形成され、さらに熱溶融型の接着剤層８が形成されている。そして、第３の偽造防止方法は、上記偽造防止表示用転写シート１を用い、偽造防止対象物１０に対して上記角度依存フィルム４と角度依存層７とを熱転写することにより偽造防止表示１１を行う。
【００７４】
これにより、偽造防止対象物１０に対し、角度依存層７が接着され、さらにその上に角度依存フィルム４が接着される。そして、上記角度依存フィルム４は見る角度により視覚的効果が変化し、上記角度依存層７は見る角度により反射光の色彩が変化する。例えば、使用者は、偽造防止対象物１０の真偽を確認する際には、角度依存フィルム４が見る角度によって視覚効果が異なることを確認し、角度依存層７が見る角度によって色彩が変化することを確認する。これらのいずれかひとつでも確認できなければ、当該偽造防止対象物１０が偽造品であることが容易に判別できる。このように、角度依存フィルム４の存在、角度依存層７の存在の２重の真偽判断手段を有することとなり、極めて高いセキュリティ効果を発揮することができる。
【００７５】
しかも、角度依存層７が印刷等によって形成された角度依存フィルム４の上記角度依存層７側が熱溶融型の接着剤層８で偽造防止対象物１０に接着されるため、角度依存フィルム４を剥がそうとすると角度依存層７が崩れて再び元の状態に戻すことができなくなるため、極めて高いセキュリティ効果を付与することができる。
【００７６】
さらに、上記偽造防止表示１１は、上記角度依存層７が透明フィルムである角度依存フィルム４で覆われることとなり、角度依存層７の汚損や劣化が防止できる。また、上記偽造防止表示１１は、既存の熱転写装置による熱転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【実施例４】
【００７７】
図１１は、本発明の第４実施例の偽造防止表示用転写シート１を示す。上記偽造防止表示用転写シート１は、基材シート２に対して易剥離層３を介して角度依存フィルム４が積層され、上記角度依存フィルム４に対して蛍光印刷層６が形成され、さらに熱溶融型の接着剤層８が形成されて構成されている。
【００７８】
上記基材シート２、角度依存フィルム４、易剥離層３、蛍光印刷層６、接着剤層８は、上記第１実施例と同様のものが用いられる。
【００７９】
図１２は、上記偽造防止表示用転写シート１を用いた偽造防止表示方法を示す。
【００８０】
まず、図１２（ａ）に示すように、上記偽造防止表示用転写シート１の接着剤層８を偽造防止対象物１０に密着させ、この状態でホットスタンプ９を偽造防止表示用転写シート１の基材シート２上に密着させて加圧し、偽造防止表示用転写シート１を加熱し加圧する。これにより、ホットスタンプ９で加熱された領域の接着剤層８が溶融して偽造防止対象物１０に接着し、接着層８ａが形成される。
【００８１】
ついで、図１２（ｂ）に示すように、ホットスタンプ９を除去し、接着層８ａの接着剤が硬化してから偽造防止表示用転写シート１を除去すると、ホットスタンプ９で加熱接着された領域は、上記易剥離層３から基材シート２が除去され、偽造防止対象物１０に対し、上記角度依存フィルム４と蛍光印刷層６とが熱転写される。
【００８２】
上記第４の偽造防止表示用転写シート１は、基材シート２に対して易剥離層３を介して角度依存フィルム４が積層され、上記角度依存フィルム４に対し、蛍光印刷層６が形成され、さらに熱溶融型の接着剤層８が形成されている。そして、第４の偽造防止方法は、上記偽造防止表示用転写シート１を用い、偽造防止対象物１０に対して上記角度依存フィルム４と蛍光印刷層６とを熱転写することにより偽造防止表示１１を行う。
【００８３】
これにより、偽造防止対象物１０に対し、蛍光印刷層６が接着され、さらにその上に角度依存フィルム４が接着される。そして、上記角度依存フィルム４は見る角度により視覚的効果が変化し、蛍光印刷層６は所定波長の光線に反応して可視範囲の蛍光を発する。例えば、使用者は、偽造防止対象物１０の真偽を確認する際には、角度依存フィルム４が見る角度によって視覚効果が異なることを確認し、所定波長の光や電磁波を照射して、蛍光印刷層６が蛍光を発することを確認する。これらのいずれかひとつでも確認できなければ、当該偽造防止対象物１０が偽造品であることが容易に判別できる。このように、角度依存フィルム４の存在、蛍光印刷層６の存在の２重の真偽判断手段を有することとなり、極めて高いセキュリティ効果を発揮することができる。
【００８４】
しかも、蛍光印刷層６が印刷等によって形成された角度依存フィルムの上記蛍光印刷層６側が熱溶融型の接着剤層８で偽造防止対象物１０に接着されるため、角度依存フィルム４を剥がそうとすると蛍光印刷層６が崩れて再び元の状態に戻すことができなくなるため、極めて高いセキュリティ効果を付与することができる。
【００８５】
さらに、上記偽造防止表示１１は、上記蛍光印刷層６が透明フィルムである角度依存フィルム４で覆われることとなり、蛍光印刷層６の汚損や劣化が防止できる。また、上記偽造防止表示１１は、既存の熱転写装置による熱転写であらゆる対象物に容易に表示することができるため、極めて低コストで、セキュリティ効果を付与することができる。また、印刷等の手法に比べて多品種小ロット品に対しても大幅なコストアップをすることなくセキュリティ効果を付与することができる。
【００８６】
なお、上記各実施例では、転写接着剤としてホットメルト接着剤を使用して熱転写により偽造防止表示を行うようにしたが、これに限定するものではなく、転写接着剤として水転写接着剤を使用して水転写により偽造防止表示を行ったり、加圧接着剤を使用して加圧転写により偽造防止表示を行ったりするようにしてもよい。
【図面の簡単な説明】
【００８７】
【図１】本発明の第１実施例の偽造防止表示用転写シートを示す断面図である。
【図２】本発明の第１実施例の偽造防止表示方法を示す断面図である。
【図３】本発明が適用された偽造防止表示を示す図である。
【図４】上記偽造防止表示の作用を説明する図である。
【図５】本発明の第２実施例の偽造防止表示用転写シートの第１例を示す断面図である。
【図６】本発明の第２実施例の偽造防止表示方法の第１例を示す断面図である。
【図７】上記第２実施例の偽造防止表示用転写シートの第２例を示す断面図である。
【図８】上記第２実施例の偽造防止表示方法の第２例を示す断面図である。
【図９】本発明の第３実施例の偽造防止表示用転写シートを示す断面図である。
【図１０】本発明の第３実施例の偽造防止表示方法を示す断面図である。
【図１１】本発明の第４実施例の偽造防止表示用転写シートを示す断面図である。
【図１２】本発明の第４実施例の偽造防止表示方法を示す断面図である。
【符号の説明】
【００８８】
１      偽造防止表示用転写シート
２      基材シート
３      易剥離層
４      角度依存フィルム
５      透明フィルム
６      蛍光印刷層
７      角度依存層
８      接着剤層
８ａ    接着層
９      ホットスタンプ
１０    偽造防止対象物
１１    偽造防止表示
１２    蛍光文字
１３    ブラックライト
【図１】
2006297684.tif 000003
【図２】
2006297684.tif 000004
【図３】
2006297684.tif 000005
【図４】
2006297684.tif 000006
【図５】
2006297684.tif 000007
【図６】
2006297684.tif 000008
【図７】
2006297684.tif 000009
【図８】
2006297684.tif 000010
【図９】
2006297684.tif 000011
【図１０】
2006297684.tif 000012
【図１１】
2006297684.tif 000013
【図１２】
2006297684.tif 000014